(57)【要約】床要素、特に木製床要素であって、頂面及び底面並びに第１の側方側部及び第２の側方側部を有し、上記第１の側部は、上記床要素と一体に形成された歯を備え、第２の側部は、溝を備え、上記歯と上記溝は、ほぼ上記側方側部の長さ全体にわたって延びていて、隣り合って配置される床要素に関し、一方の床要素の歯と他方の床要素の溝が、歯状嵌合を可能にするために相互に嵌まり合うように寸法決めされ、上記歯は、上記頂面から始まって上記頂面に対して２０°〜７０°、好ましくは３５°〜５５°の角度で傾斜し、上記歯は、例えば上記頂面から測定して上記床要素の厚さの少なくとも１／３の長さを有している。
2005517837.tif 000002
【特許請求の範囲】
【請求項１】
床要素、特に木製床要素であって、頂面及び底面並びに第１の側部及び第２の側部を有し、上記第１の側部は、上記床要素と一体に形成された歯を備え、上記第２の側部は、溝を備え、上記歯及び上記溝は、隣り合って配置された床要素に関し、一方の床要素の歯と他方の床要素の溝が、相互に嵌まり合って歯状嵌合を可能にするよう寸法決めされている床要素において、上記歯及び上記溝は、ほぼ上記床要素の上記側方側部の全長にわたって延び、上記歯は、上記頂面から始まって上記頂面に対し２０°〜７０°、好ましくは３５°〜５５°の角度で傾斜し、上記歯は、例えば上記頂面から測定して上記床要素の厚さの少なくとも１／３の長さを有していることを特徴とする床要素。
【請求項２】
上記第２の側方側部は、上記頂面のところに位置した傾斜縁部を備えている請求項１記載の床要素。
【請求項３】
上記縁部は、上記頂面に対し２０°〜７０°、好ましくは３５°〜５５°の角度で傾斜している請求項２記載の床要素。
【請求項４】
上記第１の側方側部は、上記歯の下に位置したこの第１の側方側部の部分上で上記底面に対しほぼ垂直に延びている請求項１〜３のいずれか１項に記載の床要素。
【請求項５】
上記第１の側方側部は、上記底面に設けられた傾斜縁部を備えている請求項１〜４のいずれか１項に記載の床要素。
【請求項６】
上記第２の側方側部は、上記底面に設けられた傾斜縁部を備えている請求項１〜５のいずれか１項に記載の床要素。
【請求項７】
上記第２の側方側部は、例えば上記底面から延びるオフセット部分を有している請求項１〜６のいずれか１項に記載の床要素。
【請求項８】
上記オフセット部分は、上記底面に対しほぼ平行に延びる頂部セグメントを有している請求項７記載の床要素。
【請求項９】
上記床要素は、第１及び第２の横方向側部を更に有し、上記第１の横方向側部は、上記床要素と一体に形成されていて例えば上記頂面から延びる第１のフックを備え、上記第２の横方向側部は、上記床要素と一体に形成されていて例えば上記底面から延びる第２のフックを備え、上記第１及び第２のフックは、隣り合って配置された床要素に関し、一方の床要素の第１のフックと他方の床要素の第２のフックが、相互に係合して歯状嵌合を可能にするよう寸法決めされている請求項１〜８のいずれか１項に記載の床要素。
【請求項１０】
上記第１及び第２のフックは、ほぼＵ字形の内側輪郭を有していることを特徴とする請求項９記載の床要素。
【発明の詳細な説明】
【技術分野】
【０００１】
本発明は、床要素、特に木製床要素であって、頂面及び底面並びに第１の側部及び第２の側部を有し、上記第１の側部は、上記床要素と一体に形成された歯を備え、上記第２の側部は、溝を備え、上記歯及び上記溝は、隣り合って配置された床要素に関し、一方の床要素の歯と他方の床要素の溝が、相互に嵌まり合って歯状嵌合を可能にするよう寸法決めされている床要素に関する。
【背景技術】
【０００２】
かかる床要素は、ドイツ国特許第１０，１０１，４２７号明細書から寄せ木張り床用として知られている。床要素の横方向側部に設けられる歯状嵌合部により床の構築を目的として連続して並んだ床要素を互いに連結できる。
【発明の開示】
【発明が解決しようとする課題】
【０００３】
公知の床要素の欠点は、歯が側部のほぼ中央に設けられるということにある。隣り合って配置された床要素を整列させるために歯の両側部上には床要素の側部分が延びる。これら手段は、隣り合う床要素の適切な整列を可能にするが、それにもかかわらず、床要素の構成材料である木の自然な歪みの障害となる。さらに、２つの隣り合う床要素を組み立て、床要素の正しい整列関係を得るためには何らかの力が必要である。
【０００４】
本発明の目的は、床要素を組み立てる労力をほぼ必要とせず、床要素を構成する材料の自然な歪みを可能にする歯状嵌合部を備えた床要素を提供することにある。
【課題を解決するための手段】
【０００５】
この目的のため、本発明の床要素は、上記歯及び上記溝が、ほぼ上記床要素の上記側方側部の全長にわたって延び、上記歯が、上記頂面から始まって上記頂面に対し２０°〜７０°、好ましくは３５°〜５５°の角度で傾斜し、上記歯が、例えば上記頂面から測定して上記床要素の厚さの少なくとも１／３の長さを有していることを特徴とする。床要素の頂面から始まる傾斜した歯の存在により、実質的な労力を必要としないで単純なずらし作業により２つの隣り合う床要素の容易且つ迅速な組み立てが可能になる。歯は例えば床要素の頂面から延びるのでこの長さを床要素の厚さの少なくとも１／３にすることができ、かくして信頼性の高い嵌合が可能になる。さらに、歯が例えば頂面から延びていることにより、溝内での歯の自然な動きが可能であり、かくして材料の自然な歪みが可能になる。
【０００６】
本発明の床要素の第１の好ましい実施形態は、上記第２の側方側部が、上記頂面のところに位置した傾斜縁部を備えていることを特徴とする。この傾斜縁部は、溝が設けられた側方側部に位置しているので、その傾斜プロフィールは、２つの床要素を隣り合わせて組み立てたとき、歯のうちの１つと嵌合することになろう。
【０００７】
本発明の床要素の第２の好ましい実施形態は、上記第１の側方側部が、上記歯の下に位置したこの第１の側方側部の部分上で上記底面に対しほぼ垂直に延びていることを特徴とする。これにより、次の床要素のための整列基準を形成できる。
【０００８】
好ましくは、上記第１の側方側部は、上記底面に設けられた傾斜縁部を備える。かかる手法では、ダスト又は過剰なグルーを収集する幾分かの空間が形成され、もしそのようにしなければ、ダスト又は過剰なグルーは、正確な整列に対する障害物となる。
【０００９】
本発明の床要素の第３の好ましい実施形態は、上記第２の側方側部が、例えば上記底面から延びるオフセット部分を有することを特徴とする。それにより、十分な強度が溝に与えられる。
【００１０】
本発明の床要素の第４の好ましい実施形態は、上記床要素が、第１及び第２の横方向側部を更に有し、上記第１の横方向側部が、上記床要素と一体に形成されていて例えば上記頂面から延びる第１のフックを備え、上記第２の横方向側部が、上記床要素と一体に形成されていて例えば上記底面から延びる第２のフックを備え、上記第１及び第２のフックは、隣り合って配置された床要素に関し、一方の床要素の第１のフックと他方の床要素の第２のフックが、相互に係合して歯状嵌合を可能にするよう寸法決めされていることを特徴とする。フックを用いることにより、横方向側部の嵌合が可能になり、これはまた、側方側部の歯状嵌合と両立する。
【発明を実施するための最良の形態】
【００１１】
次に、本発明の床要素の例を示す図面を参照することにより本発明を詳細に説明する。
図中、同一の参照符号は、同一又は類似の要素に割り当てられている。
【００１２】
本発明の床要素は、好ましくは木製である。しかしながら、本発明は、木製の床要素には限定されず、他の材料、例えばＨＤＦ、繊維板、マルチプレックスボード及びパーティクルボードの使用が可能である。
【００１３】
図１は、歯状嵌合又は噛み合い（toothed engagement）方式により互いに嵌まり合っている２つの隣り合って配置された床要素１を示している。各床要素は、頂面１０及び底面９並びに第１の側方側部１１及び第２の側方側部１２を有している。第１の側方側部１１は、床要素の材料と一体形成された歯を有している。第２の側方側部１２は、溝２を備えている。溝及び歯は、隣り合って配置された床要素に関し、一方の床要素の歯と他方の床要素の溝が、相互に嵌まり合って歯状嵌合を可能にするよう寸法決めされている。
【００１４】
歯３は、頂面１０から始まる傾斜フェース４を有している。図２に示すように、歯３のフェース４は、頂面に対し２０°〜７０°、好ましくは３５°〜５５°、特に４５°の角度αで傾斜している。この傾斜により、信頼性の高い歯状嵌合が可能になり、嵌合それ自体により生じる場合のある上向きの圧力が原因となって損傷を生じるのが阻止される。歯４は、例えば上記頂面から測定して、上記床要素の厚さの少なくとも１／３、好ましくは少なくとも１／２の長さｈを有している。したがって、例えば、厚さａ＝１６ｍｍの場合、長さｈ＝１０．５ｍｍであり、ａ＝１８ｍｍ、２１ｍｍの場合、それぞれｈ＝１０．５ｍｍ、１１．５ｍｍである。かかる長さの場合、信頼性の高い歯状嵌合が得られる。さらに、歯及び溝は、ほぼ床要素の全長にわたって延びており、かくして、この全長にわたる嵌合が可能になる。
【００１５】
歯３の下には、床要素の側部フェース１２が存在し、この側部フェースは、底面９に対しほぼ垂直に延び、かかる方法で次の床要素のための整列又は位置合わせが可能になる。側部フェース１２は、底面のところに位置した傾斜縁部８を更に備えている。縁部８は好ましくは、底面と例えば４５°の角度βをなす。縁部８は、床要素を床に膠着したとき、グルーの過剰分を収集し又はダストを収集するために床要素の下に幾分かの空間を形成する。図１及び図２で理解できるように、床要素の第２の側方側部も又、縁部８と同等な縁部７を備えている。縁部７，８は、好ましくはｇ＝３ｍｍの長さを有する。
【００１６】
第２の側方側部に設けられた溝２は、歯状嵌合を可能にするために歯のうちの１つに一致した角度で延びている。溝の深さは、床要素の厚さ、当然のことながら、歯の長さの関数として変化する。したがって、例えば厚さａが１６．１８ｍｍ、２１ｍｍの場合、それぞれｄ＝９．５ｍｍ、１０．５ｍｍである。歯の厚さｊは好ましくは、スムーズな嵌合を可能にし、木がその自然な歪みをもつようにするために溝の幅よりも幾分小さい。したがって、例えばｃ＝５ｍｍの場合、ｊ＝４．７ｍｍであり、ｃ＝６ｍｍの場合、ｊ＝５．７ｍｍである。当然のことながら、ｊ及びｃの値はａの値と関連している。
【００１７】
床要素は、その第２の側方側部１２に、頂面のところに位置した傾斜縁部５を更に有する。この縁部は好ましくは、頂面に対し２０°〜７０°、好ましくは３５°〜５５°、特に４５°の角度γを有する。縁部５により、頂面１０と溝２の入口との間の移行部が形成される。角度γ，αは好ましくは、２つの床要素を互いにはめ合わせたとき、対称なプロフィールの溝が頂面上に得られるように互いに一致した値になっている。縁部５の幅は好ましくは、２．５ｍｍである。
【００１８】
縁部５の存在により、床要素に見栄えのよい外観が与えられるだけでなく、連続して位置する床相互間に目に見えるほどの開いた隙間を生じさせないで床要素の自然な歪みが可能になる。確かなこととして、歯が図６に示すように溝に対して動いた場合、溝の形をしたプロフィール１１により、溝のプロフィールにより形成された空間分だけこの運動が可能になる。縁部が傾斜しているので、全体的な見た目はこの運動によっては影響を受けないであろう。
【００１９】
溝は、床要素の厚さ全体にわたっては延びておらず、好ましくは、距離ｅが溝の底部と底面９との間に残される。この距離は、例えばｅ＝４ｍｍである。第２の側方側部は、例えば底面から延びるオフセット部分６を更に有している。２つの床要素を長手方向に互いに隣接して設けることにより、オフセット部分６は、第１の側方側部の側部フェース１２に接触することになる。
【００２０】
床要素を配置すると、ヒンジ運動により歯を容易に溝の中に嵌め込むことができる。嵌合は、側部フェース１２がオフセット部分６に接触すると達成される。かくして、玄人でなくても容易且つ迅速な床張りが達成される。
【００２１】
床要素の側方側部の嵌合を可能にするため、フックが図３、図４及び図５に示すように床要素の第１の横方向側部１３及び第２の横方向側部１４に設けられている。第１の横方向側部１３は、第１のフック１５を備え、第２の横方向側部１４は、第２のフック１６を備えている。フックは、床要素の材料で一体に形成されている。第１のフック１５は、例えば頂面から延び（図５）、第２のフック１６は、例えば底面から延びている。フックは、図３に示すように、隣り合って配置された床要素に関し、これらが相互に係合して歯状嵌合を可能にするよう寸法決めされている。
【００２２】
両方のフックは、それぞれ頂面及び底面にほぼ垂直な１つの直立脚部１７，１９及びリブにより形成された別の直立脚部１８，２０を備えたほぼＵ字形の内側輪郭を有している。開口部２１は、歯の通過を可能にするためにリブ１８，２０に設けられている。
【００２３】
リブは、床要素の厚さのほぼ３／５にわたり延びている。フックは、側方側部のヒンジ運動を横方向側部の別のヒンジ運動と組み合わせることができないので必要である。
【図面の簡単な説明】
【００２４】
【図１】２つの隣り合って設けられた床要素の横断面図である。
【図２】床要素の横断面図である。
【図３】２つの隣り合って設けられた床要素の縦断面図である。
【図４】床要素の第１の横方向側部を示す図である。
【図５】床要素の第２の床方向側部を示す図である。
【図６】２つの隣り合った床要素が互いにずれると、何が起こるかを示す図である。
【図１】
2005517837.tif 000003
【図２】
2005517837.tif 000004
【図３】
2005517837.tif 000005
【図４】
2005517837.tif 000006
【図５】
2005517837.tif 000007
【図６】
2005517837.tif 000008
【国際調査報告】
2005517837.tif 000009
2005517837.tif 000010